(57)【要約】      （修正有）【課題】送風性能を向上させることができる送風機を提供する。【解決手段】インペラの径方向成分である第１方向に排気部が配置され、前記排気部は、複数のフィンを有し、前記複数のフィンの少なくとも一部であるフィン群における前記インペラと第１方向に対向する側の端部を接続した円を第１仮想円とし、さらに、中心軸を中心として前記インペラの複数の羽根部の径方向外縁を接続した仮想円よりも径が大きく、前記第１仮想円と一点にて接続される円を第２仮想円としたとき、前記第１仮想円の半径は、前記第２仮想円の半径よりも大きい。【選択図】図２
2019124205.tif 000002
【特許請求の範囲】
【請求項１】
上下方向を向く中心軸を中心とするインペラと、
前記インペラを前記中心軸周りに回転させるモータ部と、
前記インペラを収納するハウジングと、を備え、
前記ハウジングは、
前記インペラの下側を覆うとともに前記モータ部が固定される下プレート部と、
前記インペラの側方を覆う側壁部と、
前記インペラの上側を覆う上プレート部と、を有し、
前記上プレート部または前記下プレート部の少なくとも一方は、吸気部を有し、
前記インペラの径方向成分である第１方向に排気部が配置され、
前記排気部は、複数のフィンを有し、
前記複数のフィンの少なくとも一部であるフィン群における前記インペラと第１方向に対向する側の端部を接続した円を第１仮想円とし、さらに、中心軸を中心として前記インペラの複数の羽根部の径方向外縁を接続した仮想円よりも径が大きく、前記第１仮想円と一点にて接続される円を第２仮想円としたとき、
前記第１仮想円の半径は、前記第２仮想円の半径よりも大きい、送風機。
【請求項２】
前記第１仮想円と前記第２仮想円との接続点を仮想円接続点としたとき、前記羽根部の径方向外端と前記フィン群の前記端部を接続する円弧との距離は、中心軸と前記仮想円接続点とを通る領域で最短となり、
前記仮想円接続点から前記インペラの回転によって発生した気流の上流側および下流側の各々は、前記羽根部の径方向外端と前記フィン群の前記端部との距離が増大する拡張領域を有する、請求項１に記載の送風機。
【請求項３】
中心軸と前記仮想円接続点とを結ぶ線分を第１線分としたときに、前記複数のフィンの少なくとも一部は、前記第１線分に対して傾斜する方向に延びる、請求項２に記載の送風機。
【請求項４】
前記第１線分から前記インペラの回転によって発生した気流の上流側に向かって前記フィンの配列方向への距離を第１所定距離としたときに、
前記複数のフィンの少なくとも一部は、前記第１所定距離よりも上流側に位置する第１領域と、前記第１所定距離よりも下流側に位置する第２領域と、を有し、
前記第１領域に配置される前記フィンは、前記フィンの配列方向と直交する方向に延びて配置される、請求項３に記載の送風機。
【請求項５】
前記第１領域に配置される前記フィンの端部は、前記第１仮想円よりも径方向外側に配置される、請求項４に記載の送風機。
【請求項６】
前記第１領域に配置される前記フィンが延びる方向を０度としたときに、
前記第２領域に配置される前記フィンの傾き角度は、０＜傾き角度≦５度である、請求項４または請求項５に記載の送風機。
【請求項７】
前記傾き角度は、上流側から下流側に向かって０から５度に漸次変化する、請求項６に記載の送風機。
【請求項８】
前記第１線分から前記インペラの回転によって発生した風向きの下流側に向かってフィンの配列方向への距離を第２所定距離としたときに、
前記第２領域のフィンの少なくとも一部は、前記第２所定距離よりも下流側に位置する第３領域を有し、
前記第３領域に配置される前記フィンは、前記フィンの配列方向と直交する方向に延びて配置される、請求項４から請求項７のいずれか１項に記載の送風機。
【請求項９】
前記側壁部は、前記インペラに向かって突出する舌部を有し、
前記舌部は、前記第３領域と隙間を介して第１方向に対向する、請求項８に記載の送風機。
【請求項１０】
前記舌部は、前記インペラと対向する頂部から前記第３領域に向かって湾曲面を有する、請求項９に記載の送風機。
【請求項１１】
前記第２領域に配置される前記フィンの間隔は、前記第１領域に配置される前記フィンの間隔よりも広い、請求項４から請求項１０のいずれか１項に記載の送風機。
【請求項１２】
前記第１線分から前記インペラの回転によって発生した風向きの下流側に向かってフィンの配列方向への距離を第２所定距離としたときに、
前記第２領域のフィンの少なくとも一部は、前記第２所定距離よりも下流側に位置する第３領域を有し、
前記第３領域に配置される前記フィンの間隔は、前記第２領域における前記第３領域以外の残りの領域に含まれる領域に配置される前記フィンの間隔よりも狭い、請求項１１に記載の送風機。
【請求項１３】
前記フィンは金属製であって、前記複数のフィンに対して前記フィンの配列方向に沿って接続されるヒートパイプを備える、請求項１から請求項１２のいずれか１項に記載の送風機。
【請求項１４】
前記ヒートパイプの熱源部品に近い側は、前記インペラの回転によって発生した気流の上流側に配置される、請求項１３に記載の送風機。
【発明の詳細な説明】
【技術分野】
【０００１】
本発明は、送風機に関する。
【背景技術】
【０００２】
従来から、種々の送風機が知られている。例えば特許文献１には、従来の半導体装置用ヒートシンクが開示される。
【０００３】
上記特許文献１の半導体装置用ヒートシンクは、フィン群と、送風用ファンと、を有する。フィン群は、ベース上にプレートまたはピンが縦に多数配列された形状を有する。送風用ファンは、ファン回転機構と遠心ファンからなる。フィン群、遠心ファンのそれぞれには、カバーが設けられる。遠心ファンのカバーの回転方向には、空気吸入口が設置される。
【先行技術文献】
【特許文献】
【０００４】
【特許文献１】特開平９−１７２１１３号公報
【発明の概要】
【発明が解決しようとする課題】
【０００５】
しかしながら、上記特許文献１では、複数のフィンにおける遠心ファンと対向する側の端部は、遠心ファンとフィンが対向する方向と直交する方向に延びる直線状で接続されるので、遠心ファン外縁部とフィン端部との距離が長くなり、風圧が低くなることでフィンへの送風力が低下する問題がある。また、フィン端部は直線状に接続されるので、当該直線状の部分の面積である平面積が十分に大きいとは言えず、送風効率が低下する虞がある。
【０００６】
上記状況に鑑み、本発明は、送風性能を向上させることができる送風機を提供することを目的とする。
【課題を解決するための手段】
【０００７】
本発明の例示的な送風機は、上下方向を向く中心軸を中心とするインペラと、前記インペラを前記中心軸周りに回転させるモータ部と、前記インペラを収納するハウジングと、を備え、前記ハウジングは、前記インペラの下側を覆うとともに前記モータ部が固定される下プレート部と、前記インペラの側方を覆う側壁部と、前記インペラの上側を覆う上プレート部と、を有し、前記上プレート部または前記下プレート部の少なくとも一方は、吸気部を有し、前記インペラの径方向成分である第１方向に排気部が配置され、前記排気部は、複数のフィンを有し、前記複数のフィンの少なくとも一部であるフィン群における前記インペラと第１方向に対向する側の端部を接続した円を第１仮想円とし、さらに、中心軸を中心として前記インペラの複数の羽根部の径方向外縁を接続した仮想円よりも径が大きく、前記第１仮想円と一点にて接続される円を第２仮想円としたとき、前記第１仮想円の半径は、前記第２仮想円の半径よりも大きい。
【発明の効果】
【０００８】
本発明の例示的な送風機によれば、送風性能を向上させることができる。
【図面の簡単な説明】
【０００９】
【図１】図１は、本発明の例示的な実施形態に係る送風機の断面図である。
【図２】図２は、本発明の例示的な送風機を上側から視た平面図である。
【図３】図３は、第１変形例に係る排気部を備える送風機を上側から視た平面図である。
【図４】図４は、第２変形例に係る排気部を備える送風機を上側から視た平面図である。
【図５】図５は、ヒートパイプを用いた場合の送風機の一構成例を示す上側から見た平面図である。
【図６】図６は、第３変形例に係る送風機の上側から視た平面図である。
【発明を実施するための形態】
【００１０】
以下に本発明の例示的な実施形態について図面を参照して説明する。なお、本明細書では、後述する中心軸Ｃ１の延びる方向を「上下方向」とする。但し、この「上下方向」は、実際の機器に組み込まれたときの上下方向を示すものではない。また、中心軸Ｃ１を中心とする径方向を単に「径方向」と呼び、中心軸Ｃ１を中心とする周方向を単に「周方向」と呼ぶ。なお、「上下方向」のことを「軸方向」と称する場合もある。
【００１１】
＜１．送風機の全体構成＞
図１は、本発明の例示的な実施形態に係る送風機１の断面図である。送風機１は、遠心ファンである。送風機１は、例えば、ノート型ＰＣ（パーソナルコンピュータ）に搭載され、ノート型ＰＣの筐体内部の機器の冷却に利用される。
【００１２】
送風機１は、モータ部２と、ハウジング３と、インペラ４と、を有する。インペラ４は、上下方向を向く中心軸Ｃ１を中心とする。モータ部２は、インペラ４を中心軸Ｃ１周りに回転させる。ハウジング３は、モータ部２と、インペラ４と、を収納する。
【００１３】
ハウジング３は、上プレート部３１と、下プレート部３２と、側壁部３３と、を含む。上プレート部３１は、インペラ４の上側を覆う。下プレート部３２は、インペラ４の下側を覆う。側壁部３３は、インペラ４の側方を覆う。下プレート部３２には、モータ部２が固定される。上プレート部３１、側壁部３３、および下プレート部３２により、インペラ４を囲む風洞部３０が構成される。
【００１４】
上プレート部３１および下プレート部３２は、アルミニウム合金もしくはステンレス鋼等の金属により、薄板状に形成される。側壁部３３は、アルミニウム合金のダイカストもしくは樹脂等により成型される。側壁部３３の下端部は下プレート部３２の周縁部に例えば、ネジ止めにより固定される。上プレート部３１は、側壁部３３の上端部に例えば、カシメにより固定される。
【００１５】
モータ部２は、図１に示すように、アウターロータ型である。モータ部２は、静止部２１と、回転部２２と、軸受であるスリーブ２３と、を含む。スリーブ２３は、中心軸Ｃ１を中心とする略円筒状である。回転部２２は、後述するシャフト２２１とスリーブ２３とにより、中心軸Ｃ１を中心として静止部２１に対して回転可能である。
【００１６】
静止部２１は、ステータ２１０と、軸受保持部２４と、を含む。軸受保持部２４は、スリーブ２３を収納する。軸受保持部２４は、中心軸Ｃ１を中心とする略円筒状であり、樹脂により形成される。軸受保持部２４は、下プレート部３２から上向きに突出する。軸受保持部２４は、下プレート部３２に設けられた孔部３２１に固定される。軸受保持部２４の下端部と、孔部３２１の周囲部位とは、例えば、インサート成型により締結される。なお、軸受保持部２４の下端部と孔部３２１の周囲部位との固定はこの限りではなく、圧入、カシメなどにより固定されてもよい。
【００１７】
ステータ２１０は、中心軸Ｃ１を中心とする環状であり、軸受保持部２４の外周面に取り付けられる。ステータ２１０は、ステータコア２１１と、インシュレータ２１２と、コイル２１３と、を含む。ステータコア２１１は、薄板状の電磁鋼板が積層されて構成される。ステータコア２１１の内周面は、軸受保持部２４の外周面に固定される。インシュレータ２１２は、ステータコア２１１の表面を被覆する絶縁体である。
【００１８】
回転部２２は、シャフト２２１と、ヨーク２２２と、ロータマグネット２２３と、を含む。シャフト２２１は、中心軸Ｃ１を中心として上下方向に延びる棒状部材である。シャフト２２１の上端部は、後述するインペラ４のカップ４１に固定される。ヨーク２２２は、中心軸Ｃ１を中心とする略円筒状であり、カップ４１の内側面に固定される。ロータマグネット２２３は、中心軸Ｃ１を中心とする略円筒状であり、ヨーク２２２の内側面に固定され、ステータ２１０と径方向に対向する。
【００１９】
シャフト２２１はスリーブ２３に挿入され、シャフト２２１の外周面は、スリーブ２３の内周面と間隙を介して対向する。スリーブ２３は、含油性の多孔質金属体により構成され、軸受保持部２４に挿入されて固定される。なお、軸受として、ボール軸受等を用いてもよい。
【００２０】
ここで、図２は、送風機１を上側から視た平面図である。なお、図２では、便宜上、上プレート部３１の図示を省略している。インペラ４は、カップ４１と、複数の羽根部４２と、連結部４３と、を含む。カップ４１、羽根部４２、および連結部４３は、樹脂により同一部材として形成される。図２に示すように、インペラ４の回転方向θは、上側から視て時計回りである。
【００２１】
カップ４１は、中心軸Ｃ１を中心とする有蓋略円筒状であり、下側に向かって開口する。複数の羽根部４２はカップ４１の外周面から径方向外側に延びる。羽根部４２は周方向に等間隔で複数配置される。各羽根部４２の外周端は内周端よりも回転方向後方に配置される。これにより、各羽根１２は径方向に対して傾斜する。
【００２２】
連結部４３は、周方向に隣接する羽根部４２の外周端上面を連結して円環状に形成される。図２では不図示であるが（図１で図示）、上プレート部３１には、吸気部としての吸気孔３１１が形成される。吸気孔３１１は、インペラ４の上方に位置する。連結部４３の内周縁は吸気孔３１１よりも径方向外側に配置される。従って、インペラ４は、送風機１において、上側から視て吸気孔３１１を介して露出する。
【００２３】
なお、吸気孔は、上プレート部３１ではなく、下プレート部３２に設けてもよいし、上プレート部３１と下プレート部３２の両方に設けてもよい。下プレート部３２に吸気孔を設ける場合は、吸気孔は例えば中心軸Ｃ１を中心として周方向に複数配列される。すなわち、上プレート部３１または下プレート部３２の少なくとも一方が吸気部を有すればよい。
【００２４】
また、図２に示すように、送風機１は、インペラ４の径方向成分である第１方向Ｄ１に配置される排気部５を有する。排気部５は、例えば、下プレート部３２の一部と、複数のフィン５１と、図２で不図示の上プレート部３１の一部と、から構成される。複数のフィン５１の配列方向は、第１方向Ｄ１に直交する方向である。フィン５１は、上プレート部３１と下プレート部３２によって上下から挟まれ、上下方向に起立する板状部材である。なお、フィン５１の一部は、上プレート部３１または下プレート部３２に挟まれなくてもよい。
【００２５】
また、後述するように、フィン５１の上方にヒートパイプを配置する場合は、上プレート部３１は、ヒートパイプにおける第１方向Ｄ１と反対方向側の縁まで形成される。この場合、排気部５は、下プレート部３２の一部と、複数のフィン５１と、ヒートパイプと、から構成される。また、排気部５は、上プレート部３１および下プレート部３２とは別部材で構成してもよい。また、ヒートパイプは、上プレート部３１を介してフィン５１の上方に配置されてもよい。
【００２６】
コイル２１３に電流が供給されることにより、ロータマグネット２２３とステータ２１０との間に、中心軸Ｃ１を中心とするトルクが発生する。これにより、インペラ４は、中心軸Ｃ１を中心として回転方向θの方向に回転する。インペラ４が回転すると吸気孔３１１を介してハウジング３内に空気が流入する。ハウジング３内部に流入した空気は隣り合う羽根部４２間に流入し、羽根部４２に沿って径方向外側に向かって加速する。径方向外側に向かって加速した空気はインペラ４の径方向外側に吹き出される。インペラ４の径方向外側に吹出された空気は風洞部３０内部を流れ、隣り合うフィン５１間の隙間を通って外部へ排出される。
【００２７】
＜２．排気部の構成＞
次に、排気部５のより具体的な構成について、図２を用いて説明する。ここで、図２において、インペラ４の回転によって発生する空気の流れを気流Ｆ１として示す。
【００２８】
複数のフィン５１の一部であるフィン群５１１におけるインペラ４と第１方向Ｄ１に対向する側、すなわち空気の流入側の端部を接続した円を第１仮想円Ａ１とする。また、中心軸Ｃ１を中心として複数の羽根部４２の径方向外縁を接続した円を仮想円Ｂとし、仮想円Ｂよりも径が大きい仮想円Ｂとの同心円を第２仮想円Ａ２とする。第１仮想円Ａ１は、第２仮想円Ａ２と、一点である仮想円接続点Ｐ１にて接続される。そして、第１仮想円Ａ１の半径は、第２仮想円Ａ２の半径よりも大きい。
【００２９】
これにより、第１仮想円Ａ１の半径と第２仮想円Ａ２の半径とが仮に同一である場合に比べ、羽根部４２の外縁とフィン群５１１におけるフィン５１の空気流入側端部との距離が漸次変化するので、フィン５１端部付近での空気の乱流が抑制される。つまり、空気の乱流防止により送風機１の騒音の低減、さらに送風効率を向上することができる。また、フィン５１の空気流入側端部が仮に第１方向Ｄ１と直交する方向に延びる直線状で接続される場合に比べ、羽根部４２の外縁とフィン５１端部との距離が短くなるので、風圧を高くし、フィン５１間へ流入する空気の送風力を向上させることができる。つまり、送風機１の排気部５から送風させる空気の送風量を向上させることができる。さらに、フィン５１端部が上記のように仮に直線状に接続される場合に比べ、第１仮想円Ａ１上に位置するフィン５１端部を接続する円弧部の曲面の面積である平面積は大きくなり、送風効率および冷却効率を高めることができる。
【００３０】
なお、後述する第１領域Ｒ１におけるフィン５１の流入側端部は、第１仮想円Ａ１上に位置しないが、複数のフィン５１の全ての端部を第１仮想円Ａ１上に位置させてもよい。すなわち、複数のフィン５１の全ての端部を接続した円を第１仮想円Ａ１としてもよい。
【００３１】
換言すると、本実施形態の送風機１は、上下方向を向く中心軸Ｃ１を中心とするインペラ４と、インペラ４を中心軸Ｃ１周りに回転させるモータ部２と、インペラ４を収納するハウジング３と、を備える。ハウジング３は、インペラ４の下側を覆うとともにモータ部２が固定される下プレート部３２と、インペラ４の側方を覆う側壁部３３と、インペラ４の上側を覆う上プレート部３１と、を有する。上プレート部３１または下プレート部３２の少なくとも一方は、吸気部（吸気孔３１１）を有する。
【００３２】
インペラ４の径方向成分である第１方向Ｄ１に排気部５が配置される。排気部５は、複数のフィン５１を有し、複数のフィン５１の少なくとも一部であるフィン群５１１におけるインペラ４と第１方向Ｄ１に対向する側の端部を接続した円を第１仮想円Ａ１とし、さらに、中心軸Ｃ１を中心としてインペラ４の複数の羽根部４２の径方向外縁を接続した仮想円Ｂよりも径が大きく、第１仮想円Ａ１と一点Ｐ１にて接続される円を第２仮想円Ａ２としたとき、第１仮想円Ａ１の半径は、第２仮想円Ａ２の半径よりも大きい。
【００３３】
このような構成によれば、羽根部４２外端とフィン５１端部との距離が漸次変わることで、フィン端部５１付近での空気の乱流が抑制され、フィン５１での損失が減ることで送風機１の風量を増加させることができ、さらに送風機１の騒音を低減することができる。また、羽根部４２の外縁とフィン５１端部との距離を短くすることで、風圧を高め、フィン５１への送風力を向上させることができる。さらに、フィン５１の平面積を拡大することができ、送風効率および冷却効率を高めることができる。
【００３４】
また、中心軸Ｃ１から径方向に延ばした線分上における羽根部４２の外縁とフィン群５１１におけるフィン５１の空気流入側端部を接続した円弧ＡＲとの距離は、中心軸Ｃ１から延ばして仮想円接続点Ｐ１を通る第１線分Ｌ１上における羽根部４２の外縁と上記円弧ＡＲとの距離ＭｉｎＤで最短となる。距離ＭｉｎＤは、フィン５１の面積を確保し、且つ騒音を抑制できる距離とされる。距離ＭｉｎＤは、例えば３〜５ｍｍ程度とされる。
【００３５】
そして、距離ＭｉｎＤの位置よりも気流Ｆ１の上流側に位置する拡大領域ＦＲ１と、気流Ｆ１の下流側に位置する拡大領域ＦＲ２では、羽根部４２の外縁とフィン５１の端部との距離が増大する。
【００３６】
すなわち、第１仮想円Ａ１と第２仮想円Ａ２との接続点を仮想円接続点Ｐ１としたとき、羽根部４２の径方向外端とフィン群５１１の端部を接続する円弧ＡＲとの距離は、中心軸Ｃ１と仮想円接続点Ｐ１とを通る領域で最短となり、仮想円接続点Ｐ１からインペラ４の回転によって発生した気流Ｆ１の上流側および下流側の各々は、羽根部４２の径方向外端とフィン群５１１の端部との距離が増大する拡張領域ＦＲ１，ＦＲ２を有する。
【００３７】
これにより、羽根部４２外端とフィン５１端部との距離が漸次変わることで、フィン５１端部付近での空気の乱流が抑制され、フィン５１での損失が減ることで送風機１の風量を増加させることができ、さらに送風機１の騒音を低減することができる。
【００３８】
また、フィン５１の少なくとも一部は、線分Ｌ１に対して傾斜して延びる。すなわち、中心軸Ｃ１と仮想円接続点Ｐ１とを結ぶ線分を第１線分Ｌ１としたときに、複数のフィン５１の少なくとも一部は、第１線分Ｌ１に対して傾斜する方向に延びる。
【００３９】
これにより、フィン５１が遠心方向に流れる気流Ｆ１の方向に合わせて傾斜して配置されることで、フィン５１での損失が低減され、送風機１の送風量を増加させることができる。
【００４０】
また、図２に示すように、線分Ｌ１から気流Ｆ１の上流側に向かってフィン５１の配列方向への距離を第１所定距離Ｘとすると、複数のフィン５１は、第１所定距離Ｘよりも上流側に位置する第１領域Ｒ１と、第１所定距離Ｘよりも下流側に位置する第２領域Ｒ２とに分かれる。第１領域Ｒ１では、フィン５１は、フィン５１の配列方向と直交する方向に延びる。第１領域Ｒ１の流入側において気流Ｆ１は、フィン５１の配列方向と略直交する方向に流れるので、フィン５１での損失を抑制できる。
【００４１】
すなわち、第１線分Ｌ１からインペラ４の回転によって発生した気流Ｆ１の上流側に向かってフィン５１の配列方向への距離を第１所定距離Ｘとしたときに、複数のフィン５１の少なくとも一部は、第１所定距離Ｘよりも上流側に位置する第１領域Ｒ１と、第１所定距離Ｘよりも下流側に位置する第２領域Ｒ２と、を有し、第１領域Ｒ１に配置されるフィン５１は、フィン５１の配列方向と直交する方向に延びて配置される。
【００４２】
これにより、遠心方向に流れる気流Ｆ１の方向に合わせて第１領域Ｒ１のフィン５１を配置することで、フィン５１での損失が低減され、送風機１の風量を増加させることができる。
【００４３】
また、第１領域Ｒ１に配置されるフィン５１の端部は、第１仮想円Ａ１よりも径方向外側に配置される。フィン５１が延びる方向に長くなるとフィン５１間の流路抵抗が大きくなり、フィン５１での損失が増大する。そこで、フィン５１の長さを短くすることでフィン５１での損失が低減され、風量を増加させることができる。
【００４４】
また、図２に示すように、第２領域Ｒ２に配置されるフィン５１は、流入側端部に対して流出側端部が気流Ｆ１の下流側へ延びる方向に傾いて配置される。この傾き角度は、第１領域Ｒ１におけるフィン５１の傾き角度を０度とした場合に、０＜傾き角度≦５度とすることが望ましい。
【００４５】
すなわち、第１領域Ｒ１に配置されるフィン５１が延びる方向を０度としたときに、第２領域Ｒ２に配置されるフィン５１の傾き角度は、０＜傾き角度≦５度である。これにより、フィン５１が遠心方向に流れる気流Ｆ１の方向に合わせて傾斜して配置されることで、フィン５１での損失が低減され、送風機１の風量を増加させることができる。
【００４６】
さらに、第２領域Ｒ２におけるフィン５１の傾き角度は、気流Ｆ１の上流側から下流側に向かって０から５度に漸次変化することが望ましい。これにより、フィン５１が遠心方向に流れる気流Ｆ１の方向に合わせて、より細かく調整した傾斜で配置されることで、フィン５１での損失がより低減され、送風機１の風量を増加させることができる。なお、第２領域Ｒ２において上流側から下流側へ向かって並べて配置される所定領域ごとにフィン５１の傾き角度を変化させてもよい。
【００４７】
なお、図２では、第１領域Ｒ１と第２領域Ｒ２との繋ぎ目に他領域は存在しないが、上記繋ぎ目に第１領域Ｒ１と第２領域Ｒ２とは異なってフィンを調整された他領域を配置してもよい。すなわち、当該他領域は、第１領域Ｒ１，第２領域Ｒ２に関する発明においては本質ではない。また、以下説明する他の領域間の繋ぎ目に関しても同様のことが言える。
【００４８】
＜３．排気部の変形例＞
図３は、先述した実施形態に係る排気部５の第１変形例である排気部５０１を含む送風機１の上側から視た平面図である。図３に示す排気部５０１では、線分Ｌ１から気流Ｆ１の下流側に向かってフィン５１の配列方向への距離を第２所定距離Ｙとする。第２領域Ｒ２は、第２所定距離Ｙよりも下流側に位置する第３領域Ｒ３を含む。第３領域Ｒ３に配置されるフィン５１は、フィン５１の配列方向と直交する方向に延び、第１領域Ｒ１に配置されるフィン５１の延びる方向と平行に延びる。
【００４９】
すなわち、第１線分Ｌ１からインペラ４の回転によって発生した風向きの下流側に向かってフィン５１の配列方向への距離を第２所定距離Ｙとしたときに、第２領域Ｒ２のフィン５１の少なくとも一部は、第２所定距離Ｙよりも下流側に位置する第３領域Ｒ３を有し、第３領域Ｒ３に配置されるフィン５１は、フィン５１の配列方向と直交する方向に延びて配置される。
【００５０】
これにより、遠心方向に流れる気流Ｆ１の方向に合わせて第３領域Ｒ３のフィン５１を配置することで、フィン５１での損失が低減され、送風機の風量を増加させることができる。
【００５１】
さらに、側壁部３３は、インペラ４に向かって突出する舌部３３１を有し、舌部３３１は、第３領域Ｒ３と隙間を介して第１方向Ｄ１に対向する。舌部３３１を備えることで、インペラ４による空気の流れを第３領域Ｒ３へ導くことができる。
【００５２】
また、舌部３３１は、インペラ４と対向する頂部３３１Ａから第３領域Ｒ３に向かって湾曲面３３１Ｂを有する。舌部３３１が湾曲面３３１Ｂを備えることで、インペラ４による空気の流れを滑らかに第３領域Ｒ３へ導くことができる。
【００５３】
図４は、先述した実施形態に係る排気部５の第２変形例である排気部５０２を含む送風機１の上側から視た平面図である。図４に示す排気部５０２では、複数のフィン５１の全てが、フィン５１の配列方向に直交する方向に延びて配置される。
【００５４】
第２領域Ｒ２における隣接するフィン５１同士の間隔は、第１領域Ｒ１における隣接するフィン５１同士の間隔よりも広い。第１領域Ｒ１において気流Ｆ１は、フィン５１の延びる方向と略平行に流れ込むためフィン５１間隔を狭くし、第２領域Ｒ２において気流Ｆ１は、フィン５１の延びる方向から傾斜した方向または直交する方向に流れ込むためフィン５１間隔を広くし、排気部５０２におけるフィン５１配列方向の風量の均一化を図ることができる。
【００５５】
すなわち、第２領域Ｒ２に配置されるフィン５１の間隔は、第１領域Ｒ１に配置されるフィン５１の間隔よりも広いことで、遠心方向に流れる空気の方向に合せて、フィン５１の間隔を調整するので、排気部５０２における風量のばらつきを抑制し、フィン５１配列方向の風量の均一化を図ることができる。
【００５６】
また、第３領域Ｒ３における隣接するフィン５１同士の間隔は、第２領域Ｒ２における第３領域Ｒ３以外の領域である第４領域Ｒ４における隣接するフィン５１同士の間隔よりも狭い。第３領域Ｒ３においては、第４領域Ｒ４に比べて、フィン５１の延びる方向に対する気流Ｆ１の流れ込む方向の傾斜が小さくなるので、第３領域Ｒ３でのフィン５１間隔を狭くすることで、風量の均一化を図ることができる。
【００５７】
すなわち、第１線分Ｌ１からインペラ４の回転によって発生した風向きの下流側に向かってフィン５１の配列方向への距離を第２所定距離Ｙとしたときに、第２領域Ｒ２のフィン５１の少なくとも一部は、第２所定距離Ｙよりも下流側に位置する第３領域Ｒ３を有し、第３領域Ｒ３に配置されるフィン５１の間隔は、第２領域Ｒ２における第３領域Ｒ３以外の残りの領域に含まれる領域Ｒ４に配置されるフィン５１の間隔よりも狭い。
【００５８】
これにより、遠心方向に流れる気流Ｆ１の方向に合わせて第３領域Ｒ３のフィン５１間隔を狭くすることで、排気部５０２におけるフィン５１配列方向の風量の均一化を図ることができる。
【００５９】
なお、図４の第４領域Ｒ４における上流側の所定領域のフィン５１の間隔は、第３領域Ｒ３におけるフィン５１の間隔と同じとしてもよい。
【００６０】
また、図２に示した先述の排気部５において、第２領域Ｒ２におけるフィン５１の間隔を、第１領域Ｒ１におけるフィン５１の間隔よりも広くしてもよい。
【００６１】
＜４．ヒートパイプを用いた実施形態＞
図５は、図２に示した送風機１にヒートパイプを用いた場合の構成例を示す上側から見た平面図である。なお、図５において、便宜上、ヒートパイプ６の下側の構成を透過して図示する。
【００６２】
図５に示す送風機１は、ヒートパイプ６を有する。ヒートパイプ６は、フィン５１の配列方向に延び、複数のフィン５１の各上端部と接触して配置される。すなわち、複数のフィン５１は、ヒートパイプ６と下プレート部３２とによって上下方向に挟まれる。排気部５は、フィン５１と、ヒートパイプ６と、下プレート部３２から構成される。この場合、フィン５１は、金属製であることが望ましい。また、図５で不図示の上プレート部３１は、ヒートパイプ６との境界まで延びる。
【００６３】
ヒートパイプ６は、熱源部品７により生じる熱を移動させる部品であり、熱源部品７を冷却する。なお、熱源部品７は、例えばＣＰＵ（Central Processing Unit）などが挙げられる。ヒートパイプ６は、例えば、作動液を内部に有する金属パイプにより構成される。作動液は、熱源部品７により生じる熱によって気化する。気化した作動液は、ヒートパイプ６の内部をフィン５１側へ移動し、フィン５１により冷却されて液化する。このとき、フィン５１側へ熱が伝えられる。液化した作動液は、例えば毛細管現象によって元の熱源部品７側へ戻る。戻った作動液が再び気化されて、動作が循環される。
【００６４】
ヒートパイプ６からフィン５１へ伝えられた熱は、フィン５１間の隙間を流れる空気へさらに伝えられるので、熱源部品７を効率良く冷却することができる。なお、ヒートパイプは、図５の構成に限定されることはなく、例えば、フィン５１の上端部ではなく下端部に接触して配置されてもよいし、二つのヒートパイプにおける各々がフィン５１の上端部、下端部に接触してもよい。また、ヒートパイプは、フィン５１をフィン５１の配列方向に貫通してフィン５１に接触してもよい。さらに、ヒートパイプは、上プレート部３１または下プレート部３２と接触してもよい。この場合、上プレート部３１または下プレート部３２は熱伝導性を有する金属材料であることが好ましい。
【００６５】
換言すると、フィン５１は金属製であって、送風機１は、複数のフィン５１に対してフィン５１の配列方向に沿って接続されるヒートパイプ６を備える。これにより、ヒートパイプ６の熱をフィン５１側に伝達し、フィン５１の隙間に流れる空気を用いてヒートパイプ６の熱を冷却することができる。
【００６６】
また、ヒートパイプ６の熱源部品７に近い側は、インペラ４の回転によって発生した気流Ｆ１の上流側に配置される。これにより、ヒートパイプ６の熱をフィン５１側に伝達し、フィン５１の隙間に流れる空気を用いてヒートパイプ６の熱を冷却する際、空気の流れ速度の速い上流側に熱源部品７が近い側のヒートパイプを配置することで効果的に冷却することができる。
【００６７】
なお、先述した図３または図４に示した排気部５０１、５０２の構成に対してヒートパイプを設ける構成を採ってもよい。
【００６８】
＜５．スクロール型送風機の実施形態＞
図６は、第３変形例に係る送風機１０の上側から視た平面図である。なお、図６において、ハウジング３０が有する上プレート部については便宜上図示していない。
【００６９】
送風機１０は、ハウジング３０、インペラ４、およびモータ部（不図示）を有し、インペラ４およびモータ部はハウジング３０の内部空間に収容される。インペラ４は、中心軸Ｃ１を中心とし、先述した実施形態と同様の構成である。モータ部は、インペラ４の内側に配置され、中心軸Ｃ１周りにインペラ４を回転させる。
【００７０】
ハウジング３０は、上プレート部（不図示）、下プレート部３２０、および側壁部３３０を有する。下プレート部３２０は、インペラ４およびモータ部の下側に位置し、径方向に延びる。下プレート部３２０にはモータ部が取り付けられる。側壁部３３０は、下プレート部３２０の周縁から上側に延びる。
【００７１】
側壁部３３０は、曲面部３３０Ａと平面部３３０Ｂ、３３０Ｃとを有する。曲面部３３０Ａは、上面視において、インペラ４の回転方向θに向かって中心軸Ｃから漸次離れる。平面部３３０Ｂは、上面視において、曲面部３３０Ａの下流端から接線方向に直線状に延びる。平面部３３０Ｃは、上面視において、曲面部３３０Ａの上流端から径方向外側に延びる。平面部３３０Ｂの下流端と平面部３３０Ｃの外端部との間に吹出口３０Ａが形成される。
【００７２】
上プレート部（不図示）は、下プレート部３２０および側壁部３３０からなる収容部分の上面開口を覆う。また、上プレート部には、上下方向に貫通する吸気部が設けられる。吸気部は、インペラ４の上方に位置する。なお、吸気部は、上プレート部と下プレート部３２０のうち少なくとも一方に設ければよい。
【００７３】
また、インペラ４に対して第１方向Ｄ１に排気部５５が配置される。排気部５５は、複数のフィン５５１を有する。複数のフィン５５１の流出側端部は、吹出口３０Ａに含まれる。フィン５５１は、上プレート部（不図示）と下プレート部３２０により上下方向に挟まれる。排気部５５は、上プレート部と、下プレート部３２０と、フィン５５１と、を有する。
【００７４】
モータ部によってインペラ４が回転方向θに回転すると、空気が上記吸気部からハウジング３０内部へ吸い込まれ、インペラ４の羽根部４２間に沿って径方向外側へ吹出される。吹出された空気は、曲面部３３０Ａおよび平面部３３０Ｂにより整流され、フィン５５１間の隙間および吹出口３０Ａを介して外部へ排出される。図６には、インペラ４の回転によって生じる空気の流れである気流Ｆ１を示す。
【００７５】
ここで、複数のフィン５５１の一部であるフィン群５５１０における空気流入側端部を接続した円を第１仮想円Ａ１とする。さらに、中心軸Ｃ１を中心としてインペラ４の羽根部４２の径方向外縁を接続した円を仮想円Ｂとすると、仮想円Ｂに対して同心円であって仮想円Ｂよりも径の大きな第２仮想円Ａ２は、第１仮想円Ａ１と一点である仮想円接続点Ｐ１にて接続される。そして、第１仮想円Ａ１の半径は、第２仮想円Ａ２の半径よりも大きい。
【００７６】
換言すると、本実施形態の送風機１０は、上下方向を向く中心軸Ｃ１を中心とするインペラ４と、インペラ４を中心軸Ｃ１周りに回転させるモータ部と、インペラ４を収納するハウジング３０と、を備える。ハウジング３０は、インペラ４の下側を覆うとともにモータ部が固定される下プレート部３２０と、インペラ４の側方を覆う側壁部３３０と、インペラ４の上側を覆う上プレート部と、を有する。上プレート部または下プレート部３２０の少なくとも一方は、吸気部を有する。
【００７７】
インペラ４の径方向成分である第１方向Ｄ１に排気部５５が配置される。排気部５５は、複数のフィン５５１を有し、複数のフィン５５１の少なくとも一部であるフィン群５１１０におけるインペラ４と第１方向Ｄ１に対向する側の端部を接続した円を第１仮想円Ａ１とし、さらに、中心軸Ｃ１を中心としてインペラ４の複数の羽根部４２の径方向外縁を接続した仮想円Ｂよりも径が大きく、第１仮想円Ａ１と一点Ｐ１にて接続される円を第２仮想円Ａ２としたとき、第１仮想円Ａ１の半径は、第２仮想円Ａ２の半径よりも大きい。
【００７８】
このような構成によれば、羽根部４２外端とフィン５５１端部との距離が漸次変わることで、フィン端部５５１付近での空気の乱流が抑制され、フィン５５１での損失が減ることで送風機１０の風量を増加させることができる。つまり、空気の乱流防止により送風機１０の騒音の低減、さらに送風効率を向上することができる。また、羽根部４２の外縁とフィン５５１端部との距離を短くすることで、風圧を高め、フィン５５１への送風力を向上させることができる。つまり、送風機１０の排気部５５から送風させる空気の送風量を向上させることができる。さらに、フィン５５１の平面積を拡大することができ、送風効率および冷却効率を高めることができる。
【００７９】
また、図６に示す排気部５５において、第１線分Ｌ１から気流Ｆ１の上流側に向かってフィン５５１の配列方向への距離を第１所定距離Ｘとしたときに、複数のフィン５１は、第１所定距離Ｘよりも上流側に位置する第１領域Ｒ１と、第１所定距離Ｘよりも下流側に位置する第２領域Ｒ２と、を有する。第１領域Ｒ１、第２領域Ｒ２におけるフィン５５１についての特徴構成は、先述した実施形態と同様である。
【００８０】
＜６．その他＞
以上、本発明の実施形態について説明したが、本発明の趣旨の範囲内であれば、実施形態は種々の変更が可能である。
【００８１】
例えば、複数のフィンの軸方向長さは、フィンの空気の流入側と流出側の軸方向長さが異なったものの組合せでもよい。
【産業上の利用可能性】
【００８２】
本発明は、遠心ファン型の送風機に利用することができる。
【符号の説明】
【００８３】
１・・・送風機、２・・・モータ部、２１・・・静止部、２２・・・回転部、２３・・・スリーブ、２４・・・軸受保持部、３・・・ハウジング、３１・・・上プレート部、３２・・・下プレート部、３３・・・側壁部、３３１・・・舌部、４・・・インペラ、４１・・・カップ、４２・・・羽根部、４３・・・連結部、５・・・排気部、５１・・・フィン、５１１・・・フィン群、６・・・ヒートパイプ、７・・・熱源部品、Ｒ１・・・第１領域、Ｒ２・・・第２領域、Ｒ３・・・第３領域、Ｒ４・・・第４領域、Ｄ１・・・第１方向、Ｆ１・・・気流、Ａ１・・・第１仮想円、Ａ２・・・第２仮想円、Ｂ…仮想円、Ｐ１・・・仮想円接続点、Ｌ１・・・第１線分、ＦＲ１，ＦＲ２・・・拡大領域、Ｃ１・・・中心軸、θ・・・回転方向、１０・・・送風機、３０・・・ハウジング、３２０・・・下プレート部、３３０・・・側壁部、３０Ａ・・・吹出口、５５・・・排気部、５５１・・・フィン、５５１０・・・・フィン群
【図１】
2019124205.tif 000003
【図２】
2019124205.tif 000004
【図３】
2019124205.tif 000005
【図４】
2019124205.tif 000006
【図５】
2019124205.tif 000007
【図６】
2019124205.tif 000008